(57)【要約】【課題】ユーザー端末の無線資源を信号伝送のみに用いた場合にＭＢＭＳを受信できないという従来の問題を解決するため、無線通信システムのユーザー端末においてＭＢＭＳに対応する動作周波数を選択する方法及び装置を提供する。【解決手段】方法は、ユーザー端末のＲＢ状態を判断する段階と、ユーザー端末のＲＢ状態が信号伝送状態となった場合に、ユーザー端末の現動作周波数を上位層プロトコルにより優先に選定されたＭＢＭＳ所要周波数に切り替える段階とを含む。【選択図】図３
2008125083.tif 000002
【特許請求の範囲】
【請求項１】
無線通信システムのユーザー端末において、ＭＢＭＳ（マルチメディアブロードキャスト／マルチキャストサービス）に対応する動作周波数を選択する方法であって、
ユーザー端末のＲＢ（無線ベアラ）状態を判断する段階と、
ユーザー端末のＲＢ状態が信号伝送状態となった場合に、ユーザー端末の現動作周波数を上位層プロトコルにより優先に選定されたＭＢＭＳ所要周波数に切り替える段階とを含むことを特徴とする動作周波数の選択方法。
【請求項２】
前記ユーザー端末のＲＢ状態を判断する段階は、ユーザー端末に保存されたＥＳＴＡＢＬＩＳＨＥＤ＿ＲＡＢＳ変数のＲＡＢ（無線アクセスベアラ）情報要素に基づいてユーザー端末のＲＢ状態を判断することを特徴とする請求項１記載の動作周波数の選択方法。
【請求項３】
前記ユーザー端末に保存されたＥＳＴＡＢＬＩＳＨＥＤ＿ＲＡＢＳ変数のＲＡＢ情報要素に基づいてユーザー端末のＲＢ状態を判断する段階は、当該ＲＡＢ情報要素が「なし（ｅｍｐｔｙ）」となった場合に、ユーザー端末のＲＢ状態が信号伝送状態であると判断することを特徴とする請求項２記載の動作周波数の選択方法。
【請求項４】
前記ＭＢＭＳはブロードキャストタイプであることを特徴とする請求項１記載の動作周波数の選択方法。
【請求項５】
前記ＭＢＭＳはマルチキャストタイプであることを特徴とする請求項１記載の動作周波数の選択方法。
【請求項６】
前記ユーザー端末はセルページングチャネル（ＣＥＬＬ＿ＰＣＨ）状態で動作することを特徴とする請求項１記載の動作周波数の選択方法。
【請求項７】
前記ユーザー端末はＵＲＡ（ＵＴＲＡＮ登録領域）ページングチャネル（ＵＲＡ＿ＰＣＨ）状態で動作することを特徴とする請求項１記載の動作周波数の選択方法。
【請求項８】
前記ユーザー端末はセルフォワードアクセスチャネル（ＣＥＬＬ＿ＦＡＣＨ）状態で動作することを特徴とする請求項１記載の動作周波数の選択方法。
【請求項９】
前記無線通信システムは第三世代移動通信システムであることを特徴とする請求項１記載の動作周波数の選択方法。
【請求項１０】
無線通信システムにおいてＭＢＭＳに対応する動作周波数を選択するための通信装置であって、
通信装置の機能を実現する制御回路と、
制御回路の中に設けられ、プログラムコードを実行して制御回路を制御する中央処理装置（ＣＰＵ）と、
制御回路の中でＣＰＵに結合するように設けられ、プログラムコードを記憶する記憶装置とを含み、そのうちプログラムコードは、
ユーザー端末のＲＢ状態を判断するコードと、
ユーザー端末のＲＢ状態が信号伝送状態となった場合に、ユーザー端末の現動作周波数を上位層プロトコルにより優先に選定されたＭＢＭＳ所要周波数に切り替えるコードを含むことを特徴とする通信装置。
【請求項１１】
前記ユーザー端末のＲＢ状態を判断するコードは、ユーザー端末に保存されたＥＳＴＡＢＬＩＳＨＥＤ＿ＲＡＢＳ変数のＲＡＢ情報要素に基づいてユーザー端末のＲＢ状態を判断することを特徴とする請求項１０記載の通信装置。
【請求項１２】
前記ユーザー端末に保存されたＥＳＴＡＢＬＩＳＨＥＤ＿ＲＡＢＳ変数のＲＡＢ情報要素に基づいてユーザー端末のＲＢ状態を判断するコードは、当該ＲＡＢ情報要素が「なし」となった場合に、ユーザー端末のＲＢ状態が信号伝送状態であると判断することを特徴とする請求項１１記載の通信装置。
【請求項１３】
前記ＭＢＭＳはブロードキャストタイプであることを特徴とする請求項１０記載の通信装置。
【請求項１４】
前記ＭＢＭＳはマルチキャストタイプであることを特徴とする請求項１０記載の通信装置。
【請求項１５】
前記ユーザー端末はＣＥＬＬ＿ＰＣＨ状態で動作することを特徴とする請求項１０記載の通信装置。
【請求項１６】
前記ユーザー端末はＵＲＡ＿ＰＣＨ状態で動作することを特徴とする請求項１０記載の通信装置。
【請求項１７】
前記ユーザー端末はＣＥＬＬ＿ＦＡＣＨ状態で動作することを特徴とする請求項１０記載の通信装置。
【請求項１８】
前記無線通信システムは第三世代移動通信システムであることを特徴とする請求項１０記載の通信装置。
【発明の詳細な説明】
【技術分野】
【０００１】
本発明は無線通信システムのユーザー端末において動作周波数を選択する方法及び装置に関し、特に無線通信システムのユーザー端末においてＭＢＭＳ（マルチメディアブロードキャスト・マルチキャストサービス）に対応する動作周波数を選択する方法及び装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現するとともに、ＱｏＳ（サービス品質）の確保、柔軟性のある双方向通信の実現、通話中断率の低減を可能にする。３ＧＰＰ（第三世代パートナーシッププロジェクト）が制定した通信プロトコルでは、第三世代移動通信システムのマルチメディア機能についてＭＢＭＳ（マルチメディアブロードキャスト・マルチキャストサービス）が規定されている。ＭＢＭＳは従来のＵＭＴＳ（汎用移動通信システム）ネットワーク構造の上で構築されたものであり、ＩＰ（インターネットプロトコル）パケットを媒介としてデータソースから複数のユーザーに対してサービスを一対多で配信するＰＴＭ（ポイント・ツー・マルチポイント）データ伝送サービスである。
【０００３】
３ＧＰＰの通信プロトコル規格によれば、ＭＢＭＳにはブロードキャストモードとマルチキャストモードがある。ＭＢＭＳサービスを利用しようとするとき、ユーザー端末でＢＭ−ＳＣ（ブロードキャスト・マルチキャストサービスセンター）に加入を申し込み、サービス利用規約を締結することが必要である。サービスモードの違いによってサービス提供段階（ｓｅｒｖｉｃｅ  ｐｒｏｖｉｓｉｏｎ  ｐｈａｓｅ）も異なる。例えば、ブロードキャストモードにはサービス公表（ｓｅｒｖｉｃｅ  ａｎｎｏｕｎｃｅｍｅｎｔ）、セッション開始（ｓｅｓｓｉｏｎ  ｓｔａｒｔ）、ＭＢＭＳ通告（ＭＢＭＳ  ｎｏｔｉｆｉｃａｔｉｏｎ）、データ転送（ｄａｔａ  ｔｒａｎｓｆｅｒ）、セッション終了（ｓｅｓｓｉｏｎ  ｓｔｏｐ）などの段階があり、マルチキャストモードには申込（ｓｕｂｓｃｒｉｐｔｉｏｎ）、サービス公表（ｓｅｒｖｉｃｅ  ａｎｎｏｕｎｃｅｍｅｎｔ）、加入（ｊｏｉｎｉｎｇ）、セッション開始（ｓｅｓｓｉｏｎ  ｓｔａｒｔ）、ＭＢＭＳ通告（ＭＢＭＳ  ｎｏｔｉｆｉｃａｔｉｏｎ）、データ転送（ｄａｔａ  ｔｒａｎｓｆｅｒ）、セッション停止（ｓｅｓｓｉｏｎ  ｓｔｏｐ）、脱退（ｌｅａｖｉｎｇ）などの段階がある。ブロードキャストモードと比べて、マルチキャストモードには加入と脱退段階が追加され、そのうち加入段階ではユーザー認証と料金の記録が行われる。上記サービス提供段階は当業者に周知のため、詳しい説明は省略する。
【０００４】
当業者に周知のとおり、無線資源制御の視点から見れば、ユーザーデータ交換用のものかＲＲＣ層制御信号交換用のものかを問わず、すべて「論理的」なデータ交換チャンネルは無線ベアラ（ＲＢ）で定義されている。ＲＢとは、ユーザー端末では単方向または上り・下り双方向の論理データ伝送・交換チャンネルを指し、ネットワーク側においても単方向または上り・下り双方向の論理データ伝送・交換チャンネルを指す。ユーザー端末はＲＢを解放することでＭＢＭＳ受信の中止を申し込むことができる。また、ＲＲＣプロトコルによれば、ＲＲＣ状態には非接続モードと接続モードがあり、非接続モードはアイドリングモードを含み、接続モードはセルページングチャネル（ＣＥＬＬ＿ＰＣＨ）状態、ＵＲＡ（ＵＴＲＡＮ登録領域）ページングチャネル（ＵＲＡ＿ＰＣＨ）状態、セルフォワードアクセスチャネル（ＣＥＬＬ＿ＦＡＣＨ）状態、セル専用チャネル（ＣＥＬＬ＿ＤＣＨ）状態を含む。
【０００５】
ＭＢＭＳ配信時、ＵＴＲＡＮは計数プロセス（ｃｏｕｎｔｉｎｇ  ｐｒｏｃｅｄｕｒｅ）を用いてＭＢＭＳ受信可能なユーザー端末の数量を把握し、ＰＴＰ（ポイント・ツー・ポイント、１対１）かＰＴＭ（１対多）方式でサービスを配信する。計数プロセスの終了後にブロードキャストモードが選ばれたらＰＴＭ方式で配信し、マルチキャストモードが選ばれたら、ＵＴＲＡＮでユーザー端末の数量に基づいてＰＴＰかＰＴＭ方式を適宜に選んでサービスを配信する。ＰＴＰ方式の場合、ユーザー端末とＵＴＲＡＮの間は専用チャネルで結ぶべきであるため、基地局でＰＴＰ  ＲＢを用いて専用チャネルを確立してデータと制御信号を送信する。それに対して、ＰＴＭ方式ではコアネットワークでＰＴＭ  ＲＢを利用してデータと制御信号をサービスエリア（セルとも呼ぶ）内の複数のユーザー端末に送信する。
【０００６】
なお、３ＧＰＰの通信プロトコル規格では、ＭＢＭＳ関連情報転送用のチャネルとしてＭＣＣＨ（ＭＢＭＳ  ＰＴＭ制御チャネル）、ＭＴＣＨ（ＭＢＭＳ  ＰＴＭトラヒックチャネル）、ＭＳＣＨ（ＭＢＭＳ  ＰＴＭスケジューリングチャネル）などの論理チャネルが規定されている。ＭＣＣＨはユーザー装置（ＵＥ）とコアネットワーク間の制御指令を送信するチャネルであり、ＭＴＣＨはＭＢＭＳデータをＵＥに送信するチャネルであり、ＭＳＣＨはＭＢＭＳのスケジューリングデータをＵＥに通報するチャネルであって、ＵＥでデータ受信状態を常時に維持せずにデータがあった場合にのみ受信することを可能にし、受信用の資源を節減する効果がある。
【０００７】
ＵＴＲＡＮは一般に２またはそれ以上の搬送波周波数で複数のサービスを配信し、同一の搬送波周波数に属するユーザー端末の数量を制御することで資源の管理を最善にする。ユーザー端末は受信予定のＭＢＭＳや加入済みのＭＢＭＳの状態が変更した場合に、周波数選択プロセスで現動作周波数を変更して受信を続けることができる。３ＧＰＰのドキュメントＲ２−０６３６１３（３ＧＰＰ  ＴＳＧ−ＲＡＮ  ＷＧ２  Ｍｅｅｔｉｎｇ  ＃５６）によれば、ユーザー端末でＭＢＭＳ所要周波数情報（ＭＢＭＳ  ｐｒｅｆｅｒｒｅｄ  ｆｒｅｑｕｅｎｃｙ  ｉｎｆｏｒｍａｔｉｏｎ）、ＭＢＭＳ所要周波数層サービス制限情報（ＭＢＭＳ  ｐｒｅｆｅｒｒｅｄ  ｆｒｅｑｕｅｎｃｙ  ｌａｙｅｒ  ｓｅｒｖｉｃｅ  ｒｅｓｔｒｉｃｔｉｏｎ  ｉｎｆｏｒｍａｔｉｏｎ）などの情報要素（ＩＥ）を受信するか、所要のＭＢＭＳの状態が変更した場合に、ＭＢＭＳの受信を続けるためには、ユーザー端でＭＢＭＳ周波数選択プロセスを利用して現動作周波数を所要の周波数層に切り替える必要がある。上記ＭＢＭＳ所要周波数情報要素はＭＢＭＳサービス変更情報（ＭＢＭＳ  ｍｏｄｉｆｉｅｄ  ｓｅｒｖｉｃｅｓ  ｉｎｆｏｒｍａｔｉｏｎ）メッセージに含まれ、ＭＢＭＳに対応する所要周波数をＵＥに通報するものである。上記ＭＢＭＳ所要周波数層サービス制限情報要素はＲＢ制御メッセージ、セル更新確認メッセージ、またはＭＢＭＳ一般情報メッセージを通してユーザー端末に送信され、ＵＴＲＡＮが所要の周波数ではＭＢＭＳ以外のサービスを配信しないこと、つまり所要の周波数では混み合っていることを示すものである。言い換えれば、上記メッセージにＭＢＭＳ所要周波数層サービス制限情報要素が含まれないことは、所要の周波数ではまだ資源が残っていてＭＢＭＳ以外のサービスを配信することが可能であることを示す。
【０００８】
なお、３ＧＰＰの通信プロトコル規格によれば、上記ＲＢ制御メッセージとセル更新確認メッセージは専用制御チャネル（ＤＣＣＨ）を通して特定のユーザー端末に送信され、ＭＢＭＳ一般情報メッセージはＭＣＣＨ（ＭＢＭＳ  ＰＴＭ制御チャネル）を通してサービスエリア内のユーザー端末に送信される。ＲＢ制御メッセージはＲＢ再設定メッセージ、ＲＢセットアップメッセージ、ＲＢ解放メッセージ、トランスポートチャネル再設定メッセージ、または物理チャネル再設定メッセージである。そのいずれも当業者に周知のため、ここで説明を省略する。
【０００９】
ユーザー端末のＭＢＭＳ周波数選択方法はそのＲＲＣ状態によって異なる。以下はセルページングチャネル（ＣＥＬＬ＿ＰＣＨ）状態、ＵＲＡページングチャネル（ＵＲＡ＿ＰＣＨ）状態、セルフォワードアクセスチャネル（ＣＥＬＬ＿ＦＡＣＨ）状態でのユーザー端末を例にして説明する。ユーザー端末に保存されたＭＢＭＳ＿ＡＣＴＩＶＡＴＥＤ＿ＳＥＲＶＩＣＥＳ変数に含まれたＭＢＭＳが１以上の所要周波数に対応し、かつネットワークがＤＣＣＨを通して最後に発送したＲＢ制御メッセージかセル更新確認メッセージにＭＢＭＳ所要周波数層サービス制限情報要素が含まれていない場合では、ユーザー端末で周波数の選択を続ける。
【００１０】
次に、ユーザー端末でＥＳＴＡＢＬＩＳＨＥＤ＿ＲＡＢＳ変数を用いてユーザー端末とネットワークの間に確立されたＲＢ状態を判断し、周波数選択時の参考とする。例えば、ＥＳＴＡＢＬＩＳＨＥＤ＿ＲＡＢＳ変数が「なし」（ｅｍｐｔｙ）でない状態で、ユーザー端末の現動作周波数が上位層通信プロトコルで優先に選定されたＭＢＭＳ所要周波数と一致した場合は、ユーザー端末で現動作周波数を保持し、一致しなかった場合はユーザー端末で当該ＭＢＭＳ所要周波数を新たな動作周波数として選定する。しかし、これは当該所要周波数にネットワークによりＭＢＭＳ一般情報メッセージを通して発送されたＭＢＭＳ所要周波数層サービス制限情報要素が含まれないことを前提とする。さもなければ、ユーザー端末で優先順位に従ってＭＢＭＳ所要周波数を次々と探し、この前提に合致したものを動作周波数として選定すべきである。
【００１１】
ＥＳＴＡＢＬＩＳＨＥＤ＿ＲＡＢＳ変数にはユーザー端末で確立された無線アクセスベアラ（ＲＡＢ）と信号無線ベアラ（ＳＲＢ）の関連情報が保存されており、それが「なし」でない場合は、ユーザー端末のＲＢ状態には確立されたＲＢ、例えばデータパケットを運ぶＲＡＢまたは無線資源制御信号を運ぶＳＲＢが含まれていることを意味する。この場合、ユーザー端末の現動作周波数がＭＢＭＳ所要周波数でなければ、ユーザー端末はＭＢＭＳ所要周波数層サービス制限情報要素が含まれた所要周波数を選択できなくなる。言い換えれば、ユーザー端末はネットワークにより取り込み中と判断されたサービス周波数を選定してＭＢＭＳを受信することができない。
【００１２】
当業者に周知のとおり、ＳＲＢ送信に用いる無線資源は極めて少ない。しかし、上記ドキュメントによると、ユーザー端末で確立されたＲＢにＳＲＢのみ含まれた場合、ユーザー端末はネットワークにより取り込み中と判断されたサービス周波数に変更できず、ＭＢＭＳを受信できなくなる。
【発明の開示】
【発明が解決しようとする課題】
【００１３】
本発明はユーザー端末の無線資源を信号伝送のみに用いた場合にＭＢＭＳを受信できないという従来の問題を解決するため、無線通信システムのユーザー端末においてＭＢＭＳに対応する動作周波数を選択する方法及び装置を提供することを課題とする。
【課題を解決するための手段】
【００１４】
本発明は無線通信システムのユーザー端末において、ＭＢＭＳ（マルチメディアブロードキャスト／マルチキャストサービス）に対応する動作周波数を選択する方法を提供する。該方法は、ユーザー端末のＲＢ（無線ベアラ）状態を判断する段階と、ユーザー端末のＲＢ状態が信号伝送状態となった場合に、ユーザー端末の現動作周波数を上位層プロトコルにより優先に選定されたＭＢＭＳ所要周波数に切り替える段階とを含む。
【００１５】
本発明は更に、無線通信システムにおいてＭＢＭＳに対応する動作周波数を選択するための通信装置を提供する。該通信装置は、通信装置の機能を実現する制御回路と、制御回路の中に設けられ、プログラムコードを実行して制御回路を制御する中央処理装置（ＣＰＵ）と、制御回路の中でＣＰＵに結合するように設けられ、プログラムコードを記憶する記憶装置とを含む。該プログラムコードは、ユーザー端末のＲＢ状態を判断するコードと、ユーザー端末のＲＢ状態が信号伝送状態となった場合に、ユーザー端末の現動作周波数を上位層プロトコルにより優先に選定されたＭＢＭＳ所要周波数に切り替えるコードを含む。
【発明の効果】
【００１６】
本発明はユーザー端末に保存されたＥＳＴＡＢＬＩＳＨＥＤ＿ＲＡＢＳ変数のＲＡＢ情報要素に基づいてユーザー端末のＲＢ状態を判断する。ユーザー端末の無線資源を信号伝送にのみ用いた場合、本発明はネットワークにより取り込み中と判断されたサービス周波数に切り替えられないという従来の問題を改善し、ＭＢＭＳの受信成功率を高めることができる。
【発明を実施するための最良の形態】
【００１７】
かかる方法及び装置の特徴を詳述するために、具体的な実施例を挙げ、図示を参照して以下に説明する。
【００１８】
図１を参照する。図１は無線通信システムの無線通信装置１００のブロック図である。説明を簡素化するため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記憶されたプログラムコード１１２を実行して無線通信装置１００の動作を制御し、入力装置１０２（例えばキーボード）を通してユーザーが入力した信号を受信し、出力装置１０４（スクリーン、スピーカーなど）を通して映像、音声などの信号を出力する。無線信号を受発信するトランシーバー１１４は受信した信号を制御回路１０６に送信するとともに、制御回路１０６からの信号を無線で出力する。言い換えれば、通信プロトコルに当てはめれば、トランシーバー１１４は第一層の一部とみなされ、制御回路１０６は第二層と第三層の機能を実現する。上記無線通信装置１００は望ましくは第三世代移動通信システムに設けられる。
【００１９】
図２を参照する。図２は図１に示すプログラムコード１１２を表す説明図である。プログラムコード１１２はアプリケーション層２００、第三層２０２、第一層１９８に接続される第二層２０６を含む。第三層２０２は第一層１９８、第二層２０６及びＵＴＲＡＮを制御してピア・ツー・ピア通信を実行するＲＲＣ（無線資源制御）エンティティーを含む。ＲＲＣエンティティー２２２はネットワークシステムの要求や通信環境の変化に基づいて無線通信装置１００の無線資源制御状態をアイドリング状態、セルページングチャネル（ＣＥＬＬ＿ＰＣＨ）状態、ＵＲＡページングチャネル（ＵＲＡ＿ＰＣＨ）状態、セルフォワードアクセスチャネル（ＣＥＬＬ＿ＦＡＣＨ）状態またはセル専用チャネル（ＣＥＬＬ＿ＤＣＨ）状態に切り替える。
【実施例１】
【００２０】
ＵＴＲＡＮはＭＢＭＳについてＲＲＣメッセージと情報要素を形成し、ＰＴＰ  ＲＢまたはＰＴＭ  ＲＢを通してサービス関連データや制御信号を無線通信装置１００に送信する。ＣＥＬＬ＿ＰＣＨ、ＵＲＡ＿ＰＣＨ、またはＣＥＬＬ＿ＦＡＣＨ状態では、アプリケーション層２００が受信希望のＭＢＭＳや既に加入したＭＢＭＳの状態に変更があった場合、ＲＲＣエンティティー２２２は周波数選択プロセスで現動作周波数を他の搬送波周波数に切り替えてサービス受信を続ける。それに鑑みて、本発明は上記プログラムコード１１２に動作周波数選択プログラムコード２２０を設け、ユーザー端末の無線資源を信号伝送にのみ用いた場合の動作周波数にかかる選択手段を改善する。図３を参照する。図３は本発明の実施例１による方法３０のフローチャートである。下記方法３０は、無線通信システムのユーザー端末においてＭＢＭＳに対応する動作周波数の選択に用いられ、動作周波数選択プログラムコード２２０としてコンパイルすることができる。
【００２１】
ステップ３００：開始。
ステップ３０２：ユーザー端末のＲＢ状態を判断する。
ステップ３０４：ユーザー端末のＲＢ状態が信号伝送状態となった場合、ユーザー端末の現動作周波数を上位層プロトコルにより優先に選定されたＭＢＭＳ所要周波数に切り替える。
ステップ３０６：終了。
【００２２】
以上のとおり、本発明ではまずユーザー端末のＲＢ状態を判断し、ＲＢ状態がＳＲＢ状態となった場合にユーザー端末の現動作周波数を上位層プロトコルにより優先に選定されたＭＢＭＳ所要周波数に切り替える。この場合、信号伝送に用いる無線資源が少ないため、上記所要周波数がネットワークにより取り込み中と判断されたかどうかにかかわらず、ＲＲＣエンティティー２２２は現動作周波数を当該ＭＢＭＳ所要周波数に切り替え、対応したＭＢＭＳを受信することができる。したがって、本発明はユーザー端末の無線資源を信号伝送にのみ用いた場合のＭＢＭＳ受信不能の問題を解決し、ＭＢＭＳの受信成功率を向上させることができる。
【００２３】
上記ＲＢ状態の判断はユーザー端末のＥＳＴＡＢＬＩＳＨＥＤ＿ＲＡＢＳ変数のＲＡＢ情報要素に基づいて行われ、ＲＡＢ情報要素にはユーザー端で確立されたＲＡＢの関連情報が保存されている。したがって、従来の技術と比べて、本発明はユーザー端末に保存されたＥＳＴＡＢＬＩＳＨＥＤ＿ＲＡＢＳ変数のＲＡＢ情報要素に基づいて、ユーザー端末のＲＢ状態を判断することができる。
【実施例２】
【００２４】
図４を参照する。図４は本発明の実施例２による方法４０のフローチャートである。下記方法４０は、無線通信システムのユーザー端末においてＭＢＭＳに対応する動作周波数の選択に用いられ、動作周波数選択プログラムコード２２０としてコンパイルすることができる。
【００２５】
ステップ４００：開始。
ステップ４０２：ユーザー端末に保存されたＥＳＴＡＢＬＩＳＨＥＤ＿ＲＡＢＳ変数のＲＡＢ情報要素が「なし」であるかどうかを判断する。そうであればステップ４０４に進み、そうでなければステップ４０６に進む。
ステップ４０４：ユーザー端末の現動作周波数を上位層プロトコルにより優先に選定されたＭＢＭＳ所要周波数に切り替える。ステップ４１２に進む。
ステップ４０６：ユーザー端末の現動作周波数が上位層プロトコルにより優先に選定されたＭＢＭＳ所要周波数であるかどうかを判断する。そうであればステップ４０８に進み、そうでなければステップ４１０に進む。
ステップ４０８：ユーザー端末で現動作周波数を保持する。ステップ４１２に進む。
ステップ４１０：ユーザー端末の現動作周波数を上位層プロトコルにより優先に選定された、ＭＢＭＳ所要周波数層サービス制限情報要素を含んでいないＭＢＭＳ所要周波数に切り替える。ステップ４１２に進む。
ステップ４１２：終了。
【００２６】
以上のとおり、ＥＳＴＡＢＬＩＳＨＥＤ＿ＲＡＢＳ変数のＲＡＢ情報要素が「なし」と判断されたことは、ユーザー端末には確立されたＲＡＢが何も含まれていないことを意味する。言い換えれば、ユーザー端末はＲＲＣ信号送信用のＳＲＢを用いる。この場合、上記所要周波数がネットワークにより取り込み中と判断されたかどうかにかかわらず、すなわち所要周波数にＭＢＭＳ所要周波数層サービス制限情報要素が含まれているかどうかにかかわらず、ＲＲＣエンティティー２２２は現動作周波数を当該ＭＢＭＳ所要周波数に切り替え、対応するＭＢＭＳを受信することができる。
【００２７】
一方、ＥＳＴＡＢＬＩＳＨＥＤ＿ＲＡＢＳ変数のＲＡＢ情報要素が「なし」でない場合は、ユーザー端末のＲＢ状態には既に確立されたＲＡＢが含まれていることを意味する。このとき、ユーザー端末の現動作周波数が上位層プロトコルにより優先に選定されたＭＢＭＳ所要周波数となった場合はユーザー端末で現動作周波数を保持し（ステップ４０８）、そうでない場合は当該ＭＢＭＳ所要周波数を動作周波数として選定する。もっとも、当該所要周波数にネットワークによりＭＢＭＳ一般情報メッセージを通して発送されたＭＢＭＳ所要周波数層サービス制限情報要素が含まれていない（ステップ４１０）ことが前提であり、さもなければユーザー端末で優先順位に従ってＭＢＭＳ所要周波数を次々と探し、この前提に合致したものを動作周波数として選定すべきである。
【００２８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２９】
本発明は従来の動作条件を変更したのみで、実施可能である。
【図面の簡単な説明】
【００３０】
【図１】無線通信システムの無線通信装置のブロック図である。
【図２】図１に示すプログラムコードを表す説明図である。
【図３】本発明の実施例１による方法のフローチャートである。
【図４】本発明の実施例２による方法のフローチャートである。
【符号の説明】
【００３１】
１００      無線通信装置
１０２      入力装置
１０４      出力装置
１０６      制御回路
１０８      ＣＰＵ
１１０      保存装置
１１２      プログラムコード
１１４      トランシーバー
２００      アプリケーション層
１９８      第一層
２０２      第三層
２０６      第二層
２２０      動作周波数選択プログラムコード
２２２      ＲＲＣエンティティー
【図１】
2008125083.tif 000003
【図２】
2008125083.tif 000004
【図３】
2008125083.tif 000005
【図４】
2008125083.tif 000006